(57)【要約】【課題】光束の有効利用効率が高い面状光源装置が組み込まれたカラー液晶表示装置組立体を提供する。【解決手段】フロント・パネル、リア・パネル７０及び液晶材料から成る透過型のカラー液晶表示装置１０Ａ、並びに、リア・パネル７０に対向して配置され、紫外線を射出してカラー液晶表示装置１０Ａをリア・パネル側から照射する光源を有する面状光源装置２０Ａを備えたカラー液晶表示装置組立体において、面状光源装置２０Ａと対向したリア・パネル７０の部分には、光源２１から射出された紫外線によって励起されて赤色を発光する赤色発光層３０Ｒ、光源２１から射出された紫外線によって励起されて緑色を発光する緑色発光層３０Ｇ、並びに、光源２１から射出された紫外線によって励起されて青色を発光する青色発光層３０Ｂが形成されている。【選択図】  図１
2007052197.tif 000002
【特許請求の範囲】
【請求項１】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）リア・パネルに対向して配置され、紫外線を射出してカラー液晶表示装置をリア・パネル側から照射する光源を有する面状光源装置、
を備えたカラー液晶表示装置組立体であって、
面状光源装置と対向したリア・パネルの部分には、
（Ａ）カラー液晶表示装置の赤色を発光するサブピクセルに対応した領域上に形成され、赤色を発光する赤色発光粒子から成り、光源から射出された紫外線によって励起されて赤色を発光する赤色発光層、
（Ｂ）カラー液晶表示装置の緑色を発光するサブピクセルに対応した領域上に形成され、緑色を発光する緑色発光粒子から成り、光源から射出された紫外線によって励起されて緑色を発光する緑色発光層、並びに、
（Ｃ）カラー液晶表示装置の青色を発光するサブピクセルに対応した領域上に形成され、青色を発光する青色発光粒子から成り、光源から射出された紫外線によって励起されて青色を発光する青色発光層、
が形成されていることを特徴とするカラー液晶表示装置組立体。
【請求項２】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）カラー液晶表示装置をリア・パネル側から照射する面状光源装置、
を備えたカラー液晶表示装置組立体であって、
面状光源装置は、
（Ａ）リア・パネルに対向して配置され、紫外線を射出する光源、
（Ｂ）リア・パネルと光源との間に配置された支持部材、
（Ｃ）カラー液晶表示装置の赤色を発光するサブピクセルに対応した支持部材の領域上に形成され、赤色を発光する赤色発光粒子から成り、光源から射出された紫外線によって励起されて赤色を発光する赤色発光層、
（Ｄ）カラー液晶表示装置の緑色を発光するサブピクセルに対応した支持部材の領域上に形成され、緑色を発光する緑色発光粒子から成り、光源から射出された紫外線によって励起されて緑色を発光する緑色発光層、並びに、
（Ｅ）カラー液晶表示装置の青色を発光するサブピクセルに対応した支持部材の領域上に形成され、青色を発光する青色発光粒子から成り、光源から射出された紫外線によって励起されて青色を発光する青色発光層、
を具備することを特徴とするカラー液晶表示装置組立体。
【請求項３】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）導光板と、導光板の側面から導光板に紫外線を入射させる光源とから成り、カラー液晶表示装置をリア・パネル側から照射する面状光源装置、
を備えたカラー液晶表示装置組立体であって、
面状光源装置と対向したリア・パネルの部分には、
（Ａ）カラー液晶表示装置の赤色を発光するサブピクセルに対応して形成され、赤色を発光する赤色発光粒子から成り、光源から射出された紫外線によって励起されて赤色を発光する赤色発光層、
（Ｂ）カラー液晶表示装置の緑色を発光するサブピクセルに対応して形成され、緑色を発光する緑色発光粒子から成り、光源から射出された紫外線によって励起されて緑色を発光する緑色発光層、並びに、
（Ｃ）カラー液晶表示装置の青色を発光するサブピクセルに対応して形成され、青色を発光する青色発光粒子から成り、光源から射出された紫外線によって励起されて青色を発光する青色発光層、
が形成されていることを特徴とするカラー液晶表示装置組立体。
【請求項４】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）カラー液晶表示装置をリア・パネル側から照射する面状光源装置、
を備えたカラー液晶表示装置組立体であって、
面状光源装置は、
（Ａ）導光板、
（Ｂ）導光板の側面から導光板に紫外線を入射させる光源、
（Ｃ）カラー液晶表示装置の赤色を発光するサブピクセルに対応してリア・パネルに対向した導光板の領域上に形成され、赤色を発光する赤色発光粒子から成り、光源から射出された紫外線によって励起されて赤色を発光する赤色発光層、
（Ｄ）カラー液晶表示装置の緑色を発光するサブピクセルに対応してリア・パネルに対向した導光板の領域上に形成され、緑色を発光する緑色発光粒子から成り、光源から射出された紫外線によって励起されて緑色を発光する緑色発光層、並びに、
（Ｅ）カラー液晶表示装置の青色を発光するサブピクセルに対応してリア・パネルに対向した導光板の領域上に形成され、青色を発光する青色発光粒子から成り、光源から射出された紫外線によって励起されて青色を発光する青色発光層、
を具備することを特徴とするカラー液晶表示装置組立体。
【請求項５】
フロント・パネルは、更に、カラーフィルターを備えていることを特徴とする請求項１乃至請求項４のいずれか１項に記載のカラー液晶表示装置組立体。
【請求項６】
光源は蛍光ランプから成ることを特徴とする請求項１乃至請求項４のいずれか１項に記載のカラー液晶表示装置組立体。
【請求項７】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置をリア・パネル側から照射する面状光源装置であって、
（Ａ）リア・パネルに対向して配置され、紫外線を射出する光源、
（Ｂ）リア・パネルと光源との間に配置された支持部材、
（Ｃ）カラー液晶表示装置の赤色を発光するサブピクセルに対応した支持部材の領域上に形成され、赤色を発光する赤色発光粒子から成り、光源から射出された紫外線によって励起されて赤色を発光する赤色発光層、
（Ｄ）カラー液晶表示装置の緑色を発光するサブピクセルに対応した支持部材の領域上に形成され、緑色を発光する緑色発光粒子から成り、光源から射出された紫外線によって励起されて緑色を発光する緑色発光層、並びに、
（Ｅ）カラー液晶表示装置の青色を発光するサブピクセルに対応した支持部材の領域上に形成され、青色を発光する青色発光粒子から成り、光源から射出された紫外線によって励起されて青色を発光する青色発光層、
を具備することを特徴とする面状光源装置。
【請求項８】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置をリア・パネル側から照射する面状光源装置であって、
（Ａ）導光板、
（Ｂ）導光板の側面から導光板に紫外線を入射させる光源、
（Ｃ）カラー液晶表示装置の赤色を発光するサブピクセルに対応してリア・パネルに対向した導光板の領域上に形成され、赤色を発光する赤色発光粒子から成り、光源から射出された紫外線によって励起されて赤色を発光する赤色発光層、
（Ｄ）カラー液晶表示装置の緑色を発光するサブピクセルに対応してリア・パネルに対向した導光板の領域上に形成され、緑色を発光する緑色発光粒子から成り、光源から射出された紫外線によって励起されて緑色を発光する緑色発光層、並びに、
（Ｅ）カラー液晶表示装置の青色を発光するサブピクセルに対応してリア・パネルに対向した導光板の領域上に形成され、青色を発光する青色発光粒子から成り、光源から射出された紫外線によって励起されて青色を発光する青色発光層、
を具備することを特徴とする面状光源装置。
【請求項９】
フロント・パネルは、更に、カラーフィルターを備えていることを特徴とする請求項７又は請求項８に記載の面状光源装置。
【請求項１０】
光源は蛍光ランプから成ることを特徴とする請求項７又は請求項８に記載の面状光源装置。
【発明の詳細な説明】
【技術分野】
【０００１】
本発明は、面状光源装置及びカラー液晶表示装置組立体に関する。
【背景技術】
【０００２】
カラー液晶表示装置組立体として、透明電極、配向膜等が積層された透明なガラス基板が対向するように重ね合わされた２枚のパネルの間に液晶材料が挟まれたカラー液晶表示装置と、このカラー液晶表示装置の下方に配置され、カラー液晶表示装置に照明光を供給する面状光源装置等とから構成されたカラー液晶表示装置組立体が周知である。
【０００３】
面状光源装置として、２種類の面状光源装置（バックライト）、即ち、例えば実開昭６３−１８７１２０や特開２００２−２７７８７０に開示された直下型の面状光源装置、並びに、例えば特開２００２−１３１５５２に開示されたエッジライト型（サイドライト型とも呼ばれる）の面状光源装置が周知である。直下型の面状光源装置は、図７の（Ａ）に模式的な断面図を示すように、筐体１２４内に配置された光源１２１と、光源１２１の下方に位置する筐体の部分に配置され、光源１２１からの射出光を上方に反射する反射部材１２２と、光源１２１の上方に位置する筐体開口部に取り付けられ、光源１２１からの射出光及び反射部材１２２からの反射光を拡散させながら通過させる拡散板１２３とから構成されている。一方、エッジライト型の面状光源装置は、図７の（Ｂ）に模式的な断面図を示すように、導光板１５０と、導光板１５０の側面に配置されたランプから成る光源１４１から構成されている。尚、導光板の下方には、反射部材１４２が配置されており、導光板の上方には拡散シート１４３及びプリズムシート１４４が配置されている。
【０００４】
光源は、例えば、内径２．４ｍｍの冷陰極線型の蛍光ランプから成り、白色光を射出する。より具体的には、冷陰極線型の蛍光ランプにおいては、内部に、ネオンガスやアルゴン等の混合希ガスが封入され、あるいは又、水銀が拡散封入されている。そして、グロー放電に起因して励起された混合希ガスあるいは水銀原子からの紫外線が、蛍光ランプを構成するガラス管の内面に塗布された赤色発光蛍光体粒子、緑色発光蛍光体粒子及び青色発光蛍光体粒子を励起し、これらの蛍光体粒子からの発光色によって白色を得ている。
【０００５】
【特許文献１】実開昭６３−１８７１２０
【特許文献２】特開２００２−２７７８７０
【特許文献３】特開２００２−１３１５５２
【発明の開示】
【発明が解決しようとする課題】
【０００６】
ところで、直下型の面状光源装置にあっては、蛍光ランプから放射される光束の有効利用効率（蛍光ランプから放射される光束のうち、カラー液晶表示装置に導かれる光の割合）が低く、光束の有効利用効率を一層高くすることが望まれている。
【０００７】
従って、本発明の目的は、光束の有効利用効率が高い面状光源装置（バックライト）、及び、係る面状光源装置が組み込まれたカラー液晶表示装置組立体を提供することにある。
【課題を解決するための手段】
【０００８】
上記の目的を達成するための本発明の第１の態様に係るカラー液晶表示装置組立体は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）リア・パネルに対向して配置され、紫外線を射出してカラー液晶表示装置をリア・パネル側から照射する光源を有する面状光源装置（より具体的には、直下型の面状光源装置）、
を備えたカラー液晶表示装置組立体であって、
面状光源装置と対向したリア・パネルの部分には、
（Ａ）カラー液晶表示装置の赤色を発光するサブピクセルに対応した領域上に形成され、赤色を発光する赤色発光粒子から成り、光源から射出された紫外線によって励起されて赤色を発光する赤色発光層、
（Ｂ）カラー液晶表示装置の緑色を発光するサブピクセルに対応した領域上に形成され、緑色を発光する緑色発光粒子から成り、光源から射出された紫外線によって励起されて緑色を発光する緑色発光層、並びに、
（Ｃ）カラー液晶表示装置の青色を発光するサブピクセルに対応した領域上に形成され、青色を発光する青色発光粒子から成り、光源から射出された紫外線によって励起されて青色を発光する青色発光層、
が形成されていることを特徴とする。
【０００９】
上記の目的を達成するための本発明の第２の態様に係るカラー液晶表示装置組立体は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）カラー液晶表示装置をリア・パネル側から照射する面状光源装置（より具体的には、直下型の面状光源装置）、
を備えたカラー液晶表示装置組立体であって、
面状光源装置は、
（Ａ）リア・パネルに対向して配置され、紫外線を射出する光源、
（Ｂ）リア・パネルと光源との間に配置された支持部材、
（Ｃ）カラー液晶表示装置の赤色を発光するサブピクセルに対応した支持部材の領域上に形成され、赤色を発光する赤色発光粒子から成り、光源から射出された紫外線によって励起されて赤色を発光する赤色発光層、
（Ｄ）カラー液晶表示装置の緑色を発光するサブピクセルに対応した支持部材の領域上に形成され、緑色を発光する緑色発光粒子から成り、光源から射出された紫外線によって励起されて緑色を発光する緑色発光層、並びに、
（Ｅ）カラー液晶表示装置の青色を発光するサブピクセルに対応した支持部材の領域上に形成され、青色を発光する青色発光粒子から成り、光源から射出された紫外線によって励起されて青色を発光する青色発光層、
を具備することを特徴とする。
【００１０】
上記の目的を達成するための本発明の第３の態様に係るカラー液晶表示装置組立体は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）導光板と、導光板の側面から導光板に紫外線を入射させる光源とから成り、カラー液晶表示装置をリア・パネル側から照射する面状光源装置（より具体的には、エッジライト型の面状光源装置）、
を備えたカラー液晶表示装置組立体であって、
面状光源装置と対向したリア・パネルの部分には、
（Ａ）カラー液晶表示装置の赤色を発光するサブピクセルに対応して形成され、赤色を発光する赤色発光粒子から成り、光源から射出された紫外線によって励起されて赤色を発光する赤色発光層、
（Ｂ）カラー液晶表示装置の緑色を発光するサブピクセルに対応して形成され、緑色を発光する緑色発光粒子から成り、光源から射出された紫外線によって励起されて緑色を発光する緑色発光層、並びに、
（Ｃ）カラー液晶表示装置の青色を発光するサブピクセルに対応して形成され、青色を発光する青色発光粒子から成り、光源から射出された紫外線によって励起されて青色を発光する青色発光層、
が形成されていることを特徴とする。
【００１１】
上記の目的を達成するための本発明の第４の態様に係るカラー液晶表示装置組立体は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）カラー液晶表示装置をリア・パネル側から照射する面状光源装置（より具体的には、エッジライト型の面状光源装置）、
を備えたカラー液晶表示装置組立体であって、
面状光源装置は、
（Ａ）導光板、
（Ｂ）導光板の側面から導光板に紫外線を入射させる光源、
（Ｃ）カラー液晶表示装置の赤色を発光するサブピクセルに対応してリア・パネルに対向した導光板の領域上に形成され、赤色を発光する赤色発光粒子から成り、光源から射出された紫外線によって励起されて赤色を発光する赤色発光層、
（Ｄ）カラー液晶表示装置の緑色を発光するサブピクセルに対応してリア・パネルに対向した導光板の領域上に形成され、緑色を発光する緑色発光粒子から成り、光源から射出された紫外線によって励起されて緑色を発光する緑色発光層、並びに、
（Ｅ）カラー液晶表示装置の青色を発光するサブピクセルに対応してリア・パネルに対向した導光板の領域上に形成され、青色を発光する青色発光粒子から成り、光源から射出された紫外線によって励起されて青色を発光する青色発光層、
を具備することを特徴とする。
【００１２】
上記の目的を達成するための本発明の第１の態様に係る面状光源装置は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置をリア・パネル側から照射する面状光源装置（より具体的には、直下型の面状光源装置）であって、
（Ａ）リア・パネルに対向して配置され、紫外線を射出する光源、
（Ｂ）リア・パネルと光源との間に配置された支持部材、
（Ｃ）カラー液晶表示装置の赤色を発光するサブピクセルに対応した支持部材の領域上に形成され、赤色を発光する赤色発光粒子から成り、光源から射出された紫外線によって励起されて赤色を発光する赤色発光層、
（Ｄ）カラー液晶表示装置の緑色を発光するサブピクセルに対応した支持部材の領域上に形成され、緑色を発光する緑色発光粒子から成り、光源から射出された紫外線によって励起されて緑色を発光する緑色発光層、並びに、
（Ｅ）カラー液晶表示装置の青色を発光するサブピクセルに対応した支持部材の領域上に形成され、青色を発光する青色発光粒子から成り、光源から射出された紫外線によって励起されて青色を発光する青色発光層、
を具備することを特徴とする。
【００１３】
上記の目的を達成するための本発明の第２の態様に係る面状光源装置は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置をリア・パネル側から照射する面状光源装置（より具体的には、エッジライト型の面状光源装置）であって、
（Ａ）導光板、
（Ｂ）導光板の側面から導光板に紫外線を入射させる光源、
（Ｃ）カラー液晶表示装置の赤色を発光するサブピクセルに対応してリア・パネルに対向した導光板の領域上に形成され、赤色を発光する赤色発光粒子から成り、光源から射出された紫外線によって励起されて赤色を発光する赤色発光層、
（Ｄ）カラー液晶表示装置の緑色を発光するサブピクセルに対応してリア・パネルに対向した導光板の領域上に形成され、緑色を発光する緑色発光粒子から成り、光源から射出された紫外線によって励起されて緑色を発光する緑色発光層、並びに、
（Ｅ）カラー液晶表示装置の青色を発光するサブピクセルに対応してリア・パネルに対向した導光板の領域上に形成され、青色を発光する青色発光粒子から成り、光源から射出された紫外線によって励起されて青色を発光する青色発光層、
を具備することを特徴とする。
【００１４】
本発明の第１の態様〜第４の態様に係るカラー液晶表示装置組立体、あるいは、本発明の第１の態様〜第２の態様に係る面状光源装置（以下、これらを総称して、単に、本発明と呼ぶ場合がある）において、フロント・パネルには、更に、カラーフィルターが備えられている構成とすることもできる。尚、カラーフィルターは、リア・パネルに備えられていてもよい。このように、カラーフィルターを備えることで、カラー液晶表示装置における色純度を、一層向上させることができる。
【００１５】
本発明において、光源は、蛍光ランプ（紫外線を射出する蛍光ランプ）から成る構成とすることができ、あるいは、紫外線を射出する発光ダイオード（ＬＥＤ）から成る構成とすることができる。蛍光ランプの形状は、直線状（直管状）、「Ｕ」字状、連続した「Ｕ」字状、「Ｓ」字状、連続した「Ｓ」字状、「Ｗ」字状等、蛍光ランプに要求される仕様に基づき決定すればよい。ここで、光源が射出する紫外線の波長は、例えば、次に述べる赤色発光粒子、緑色発光粒子及び青色発光粒子を励起して、これらの発光粒子を発光させる波長である必要があり、光源は連続的なスペクトルを有する紫外線を射出する構成とすることもできるし、不連続的なスペクトルを有する紫外線を射出する構成とすることもできる。より具体的には、蛍光ランプから射出される紫外線は、ＵＶ−Ａ（３１５〜４００ｎｍ：近紫外線）、ＵＶ−Ｂ（２８０〜３１５ｎｍ）、ＵＶ−Ｃ（１００〜２８０ｎｍ）等に分類されるが、本発明にあっては、これらの波長帯の紫外線を射出する蛍光ランプを用いることができる。
【００１６】
以上に説明した各種の好ましい形態を含む本発明にあっては、赤色発光粒子は赤色発光蛍光体粒子から成り、緑色発光粒子は緑色発光蛍光体粒子から成り、青色発光粒子は青色発光蛍光体粒子から成る構成とすることができる。ここで、赤色発光蛍光体粒子を構成する材料として、Ｙ2Ｏ3：Ｅｕ、ＹＶＯ4：Ｅｕ、Ｙ（Ｐ，Ｖ）Ｏ4：Ｅｕ、３．５ＭｇＯ・０．５ＭｇＦ2・Ｇｅ2：Ｍｎ、ＣａＳｉＯ3：Ｐｂ，Ｍｎ、Ｍｇ6ＡｓＯ11：Ｍｎ、（Ｓｒ，Ｍｇ）3（ＰＯ4）3：Ｓｎを挙げることができる。また、緑色発光蛍光体粒子を構成する材料として、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎを挙げることができる。更には、青色発光蛍光体粒子を構成する材料として、ＢａＭｇＡｌ10Ｏ17：Ｅｕ、ＢａＭｇ2Ａｌ16Ｏ27：Ｅｕ、Ｓｒ2Ｐ2Ｏ7：Ｅｕ、Ｓｒ5（ＰＯ4）3Ｃｌ：Ｅｕ、（Ｓｒ，Ｃａ，Ｂａ，Ｍｇ）5（ＰＯ4）3Ｃｌ：Ｅｕ、ＣａＷＯ4、ＣａＷＯ4：Ｐｂを挙げることができる。また、場合によっては、シアン色を発光する構成としてもよく、この場合には、緑色発光蛍光体粒子（例えば、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎ）と青色発光蛍光体粒子（例えば、ＢａＭｇＡｌ10Ｏ17：Ｅｕ、ＢａＭｇ2Ａｌ16Ｏ27：Ｅｕ、Ｓｒ2Ｐ2Ｏ7：Ｅｕ、Ｓｒ5（ＰＯ4）3Ｃｌ：Ｅｕ、（Ｓｒ，Ｃａ，Ｂａ，Ｍｇ）5（ＰＯ4）3Ｃｌ：Ｅｕ、ＣａＷＯ4、ＣａＷＯ4：Ｐｂ）を混合したものを用いればよい。
【００１７】
また、赤色発光層、緑色発光層及び青色発光層の配列パターンとして、デルタ配列、ストライプ配列、ダイアゴナル配列、レクタングル配列を挙げることができる。
【００１８】
但し、発光粒子は、発光蛍光粒子に限定されず、例えば、間接遷移型のシリコン系材料において、直接遷移型のように、キャリアを効率良く光へ変換させるために、キャリアの波動関数を局所化し、量子効果を用いた、２次元量子井戸構造、１次元量子井戸構造（量子細線）、０次元量子井戸構造（量子ドット）等の量子井戸構造を適用した発光粒子を挙げることもできるし、半導体材料に添加された希土類原子は殻内遷移による鋭い紫外光を発光することが知られており、このような技術を適用した発光粒子を挙げることもできる。
【００１９】
以上に説明した各種の好ましい形態を含む本発明の第１の態様に係る面状光源装置、第２の態様に係るカラー液晶表示装置組立体にあっては、限定するものではないが、赤色発光層、緑色発光層、及び、青色発光層は、光源と対向した支持部材の表面に形成されている構成とすることが好ましい。
【００２０】
本発明において、透過型のカラー液晶表示装置を構成するフロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。また、必要に応じて、透過型のカラー液晶表示装置を構成するフロント・パネルは、第１の基板の内面に、アクリル樹脂やエポキシ樹脂から成るオーバーコート層によって被覆されたカラーフィルターが設けられ、オーバーコート層上に透明第１電極が形成された構成を有している。透明第１電極上には配向膜が形成されている。一方、透過型のカラー液晶表示装置を構成するリア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を構成する各種の部材や液晶材料は、周知の部材、材料から構成することができる。尚、スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００２１】
カラーフィルターは、一般に、着色パターン間の隙間を遮光するためのブラック・マトリックス（例えば、クロムから成る）と、各画素に対向した赤色、緑色、青色の着色層から構成されており、染色法、顔料分散法、印刷法、電着法等によって作製される。着色層は、例えば、樹脂材料から成り、あるいは又、顔料で着色されている。着色層の画素パターンとして、デルタ配列、ストライプ配列、ダイアゴナル配列、レクタングル配列を挙げることができる。
【００２２】
直下型の面状光源装置における支持部材は、所謂拡散板を兼ねていてもよい。
【００２３】
本発明の第１の態様に係るカラー液晶表示装置組立体にあっては、紫外線が支持部材を通過するので、また、本発明の第２の態様に係るカラー液晶表示装置組立体、本発明の第１の態様に係る面状光源装置にあっては、構成に依っては、紫外線が支持部材を通過するので、支持部材を、光源が射出する紫外線に対して透明であり、即ち、光源が射出する紫外線を余り吸収すること無く、しかも、紫外線の照射によって損傷を受けない材料から作製することが好ましい。具体的には、支持部材を構成する材料として、例えば、石英ガラスや、ＢＫ−７等の光学ガラス、シリコーン系樹脂等を挙げることができる。
【００２４】
一方、本発明の第２の態様に係るカラー液晶表示装置組立体、本発明の第１の態様に係る面状光源装置にあっては、構成に依っては、発光層からの光が支持部材を通過するので、発光層からの光に対して透明であり、即ち、発光層が射出する光を余り吸収すること無く、しかも、光源からの紫外線の照射によって損傷を受けず、且つ、紫外線を出来るだけ吸収する材料から支持部材を作製することが好ましい。具体的には、支持部材を構成する材料として、例えば、ガラスやプラスチック材料を挙げることができる。
【００２５】
本発明の第３の態様〜第４の態様に係るカラー液晶表示装置組立体、本発明の第２の態様に係る面状光源装置にあっては、導光板を紫外線が通過するので、光源が射出する紫外線に対して透明であり、即ち、光源が射出する紫外線を余り吸収すること無く、しかも、紫外線の照射によって損傷を受けない材料から導光板を作製することが好ましい。具体的には、導光板を構成する材料として、例えば、シリコーン系樹脂材料を挙げることができる。
【００２６】
導光板は、第１面、この第１面と対向した第２面、第１側面、第２側面、第１側面と対向した第３側面、及び、第２側面と対向した第４側面を有する。導光板のより具体的な形状として、全体として、楔状の切頭四角錐形状を挙げることができ、この場合、切頭四角錐の２つの対向する側面が第１面及び第２面に相当し、切頭四角錐の底面が第１側面に相当する。そして、第１面の表面部には凸部及び／又は凹部が設けられていることが望ましい。導光板の第１側面から紫外線が入射され、第２面からカラー液晶表示装置に向けて紫外線が射出される。ここで、導光板の第２面は、平滑としてもよいし（即ち、鏡面としてもよいし）、拡散効果のあるブラストシボを設けてもよい（即ち、微細な凹凸面とすることもできる）。
【００２７】
導光板の第１面には、凸部及び／又は凹部が設けられていることが望ましい。即ち、導光板の第１面には、凸部が設けられ、あるいは又、凹部が設けられ、あるいは又、凹凸部が設けられていることが望ましい。凹凸部が設けられている場合、凹部と凸部とが連続していてもよいし、不連続であってもよい。導光板の第１面に設けられた凸部及び／又は凹部は、導光板への紫外線入射方向と所定の角度を成す方向に沿って延びる連続した凸部及び／又は凹部である構成とすることができる。このような構成にあっては、導光板への紫外線入射方向であって第１面と垂直な仮想平面で導光板を切断したときの連続した凸形状あるいは凹形状の断面形状として、三角形；正方形、長方形、台形を含む任意の四角形；任意の多角形；円形、楕円形、放物線、双曲線、カテナリー等を含む任意の滑らかな曲線を例示することができる。尚、導光板への紫外線入射方向と所定の角度を成す方向とは、導光板への紫外線入射方向を０度としたとき、６０度〜１２０度の方向を意味する。以下においても同様である。あるいは又、導光板の第１面に設けられた凸部及び／又は凹部は、導光板への紫外線入射方向と所定の角度を成す方向に沿って延びる不連続の凸部及び／又は凹部である構成とすることができる。このような構成にあっては、不連続の凸形状あるいは凹形状の形状として、角錐、円錐、円柱、三角柱や四角柱を含む多角柱、球の一部、回転楕円体の一部、回転放物線体の一部、回転双曲線体の一部といった各種の滑らかな曲面を例示することができる。尚、導光板において、場合によっては、第１面の周縁部には凸部や凹部が形成されていなくともよい。更には、光源から射出され、導光板に入射した紫外線が導光板の第１面に形成された凸部あるいは凹部に衝突して散乱されるが、導光板の第１面に設けられた凸部あるいは凹部の高さや深さ、ピッチ、形状を、一定としてもよいし、光源から離れるに従い変化させてもよい。後者の場合、例えば凸部あるいは凹部のピッチを光源から離れるに従い細かくしてもよい。ここで、凸部のピッチ、あるいは、凹部のピッチとは、導光板への紫外線入射方向に沿った凸部のピッチ、あるいは、凹部のピッチを意味する。
【００２８】
導光板を備えた面状光源装置にあっては、導光板の第１面に対向して反射部材を配置することが望ましい。導光板の第２面に対向してカラー液晶表示装置が配置されている。光源から射出された紫外線は、導光板の第１側面（例えば、切頭四角錐の底面に相当する面）から導光板に入射し、第１面の凸部あるいは凹部に衝突して散乱され、第１面から射出し、反射部材にて反射され、第１面に再び入射し、第２面から射出され、カラー液晶表示装置を照射する。カラー液晶表示装置と導光板の第２面との間には、例えば、拡散シートやプリズムシートを配置しておいてもよい。また、光源から射出された紫外線を直接、導光板に導いてもよいし、間接的に導光板に導いてもよい。後者の場合、例えば、光ファイバーを用いればよい。
【発明の効果】
【００２９】
本発明においては、光源からは、白色光が射出されるのではなく、紫外線が射出される。そして、赤色、緑色及び青色を射出する発光層は、従来の技術とは異なり、光源とは別に設けられている。従って、従来の技術のように、光源から射出された白色光をカラー液晶表示装置に配置されたカラーフィルターを通過させることで所望の色の光を得るといった処理が不要であり、光源において生成される紫外線の有効利用効率の向上を図ることができ、その結果、カラー液晶表示装置組立体の消費電力の低下を達成することが可能となる。また、赤色、緑色及び青色を射出する発光層を構成する発光粒子の選択の自由度、各発光層の発光強度の設計自由度が高くなる結果、一層発光効率の高いカラー液晶表示装置組立体を得ることが可能となる。
【発明を実施するための最良の形態】
【００３０】
以下、図面を参照して、実施例に基づき本発明を説明する。
【実施例１】
【００３１】
実施例１は、本発明の第１の態様に係るカラー液晶表示装置組立体に関する。実施例１のカラー液晶表示装置組立体の概念図を図１の（Ａ）に示し、実施例１におけるカラー液晶表示装置の模式的な一部断面図を図３あるいは図４に示す。
【００３２】
実施例１のカラー液晶表示装置組立体は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ａ、並びに、
（ｄ）光源２１を有する面状光源装置（直下型のバックライト）２０Ａ、
を備えている。
【００３３】
ここで、光源２１は、リア・パネル７０に対向（対面）して配置され、紫外線を射出してカラー液晶表示装置１０Ａをリア・パネル側から照射する。また、フロント・パネル６０は、より具体的には、図３に示すように、例えば、ガラス基板から成る第１の基板６１と、第１の基板６１の内面に設けられた透明第１電極（共通電極とも呼ばれ、例えば、ＩＴＯから成る）６４と、第１の基板６１の外面に設けられた偏光フィルム６６とから構成されている。尚、場合によっては、図４に示すように、第１の基板６１の内面に、アクリル樹脂やエポキシ樹脂から成るオーバーコート層６３によって被覆されたカラーフィルター６２が設けられ、オーバーコート層６３上に透明第１電極６４が形成された構成を有していてもよい。いずれの構成にあっても、透明第１電極６４上には配向膜６５が形成されている。
【００３４】
一方、透過型のカラー液晶表示装置を構成するリア・パネル７０は、より具体的には、例えば、ガラス基板から成る第２の基板７１と、第２の基板７１の内面に形成されたスイッチング素子（具体的には、薄膜トランジスタ、ＴＦＴ）７２と、スイッチング素子７２によって導通／非導通が制御される透明第２電極（画素電極とも呼ばれ、例えば、ＩＴＯから成る）７４と、第２の基板７１の外面に設けられた偏光フィルム７６とから構成されている。透明第２電極７４を含む全面には配向膜７５が形成されている。フロント・パネル６０とリア・パネル７０とは、それらの外周部で封止材（図示せず）を介して接合されている。尚、スイッチング素子７２は、ＴＦＴに限定されず、例えば、ＭＩＭ素子から構成することもできる。また、図面における参照番号７７は、スイッチング素子７２とスイッチング素子７２との間に設けられた絶縁層である。
【００３５】
尚、これらの透過型のカラー液晶表示装置を構成する各種の部材や、液晶材料は、周知の部材、材料から構成することができるので、詳細な説明は省略する。
【００３６】
また、面状光源装置２０Ａは、筐体２４と、筐体２４内に配置され、紫外線を射出する蛍光ランプから成る光源２１と、光源２１の下方に位置する筐体２４の部分に配置され、光源２１からの紫外線を上方に反射する反射部材２２と、光源２１の上方に位置する筐体２４の開口部に取り付けられ、光源２１からの紫外線及び反射部材２２からの反射紫外線を拡散させながら通過させる拡散板として機能する支持部材２３から構成されている。ここで、支持部材２３は、光源２１が射出する紫外線に対して透明であり、即ち、光源２１が射出する紫外線を余り吸収すること無く、しかも、紫外線の照射によって損傷を受けない材料、より具体的には、石英ガラスやＢＫ−７等の光学ガラスから作製されている。後述する実施例２においても同様である。また、反射部材２２は、紫外線の照射によって損傷を受けない材料、より具体的には、例えば、ＴｉＯ2やＢａＳＯ4、ＭｇＯ等の無機材料をシリコーン系樹脂に分散させたシート等から作製されている。後述する実施例２においても同様である。
【００３７】
そして、面状光源装置２０Ａと対向したリア・パネル７０の部分には、
（Ａ）カラー液晶表示装置１０Ａの赤色を発光するサブピクセルに対応した領域上に形成され、赤色を発光する赤色発光粒子から成り、光源２１から射出された紫外線によって励起されて赤色を発光する赤色発光層３０Ｒ、
（Ｂ）カラー液晶表示装置１０Ａの緑色を発光するサブピクセルに対応した領域上に形成され、緑色を発光する緑色発光粒子から成り、光源２１から射出された紫外線によって励起されて緑色を発光する緑色発光層３０Ｇ、並びに、
（Ｃ）カラー液晶表示装置１０Ａの青色を発光するサブピクセルに対応した領域上に形成され、青色を発光する青色発光粒子から成り、光源２１から射出された紫外線によって励起されて青色を発光する青色発光層３０Ｂ、が形成されている。ここで、赤色発光粒子は赤色発光蛍光体粒子（具体的には、Ｙ2Ｏ3：Ｅｕ）から成り、緑色発光粒子は緑色発光蛍光体粒子（具体的には、ＬａＰＯ4：Ｃｅ，Ｔｂ）から成り、青色発光粒子は青色発光蛍光体粒子（具体的には、ＢａＭｇＡｌ10Ｏ17：Ｅｕ）から成る。
【００３８】
より具体的には、第２の基板７１の外面に設けられた偏光フィルム７６の上にはガラス板７９が接着されており、このガラス板７９上に、赤色発光層３０Ｒ、緑色発光層３０Ｇ、及び、青色発光層３０Ｂが配列されている。これらの配列パターンとして、デルタ配列、ストライプ配列、ダイアゴナル配列、レクタングル配列を挙げることができる。即ち、面状光源装置２０Ａと対向したリア・パネル７０の部分とは、リア・パネル７０の最外面を意味し、実施例１にあっては、より具体的には、ガラス板７９を指す。また、ガラス板７９に設けられた発光層３０Ｒ，３０Ｇ，３０Ｂと対向する第２の基板７１の部分以外の部分には、発光層３０Ｒ，３０Ｇ，３０Ｂから射出された光を遮蔽し、迷光が生じることを防止するためのブラック・マトリックス７８が形成されている。尚、発光層３０Ｒ，３０Ｇ，３０Ｂと対向する第２の基板７１の部分以外の部分の大きさと、発光層３０Ｒ，３０Ｇ，３０Ｂの大きさとは、相補的な関係にあってもよいし、前者が後者よりも小さい関係にあってもよいし、前者が後者よりも大きい関係にあってもよい。場合によっては、発光層３０Ｒ，３０Ｇ，３０Ｂを、カラー液晶表示装置１０Ａの頂面側（面状発光装置２０Ａが配置された側とは反対の側）に配置してもよい。
【００３９】
また、カラー液晶表示装置の赤色、緑色あるいは青色を発光するサブピクセルは、それぞれ、具体的には、第２の基板７１の内面に形成された１つのスイッチング素子７２と、スイッチング素子７２によって導通／非導通が制御される１つの透明第２電極７４とから構成されている。
【００４０】
これらの発光層３０Ｒ，３０Ｇ，３０Ｂは、例えば、以下に説明する方法で形成することができる。即ち、発光層を形成すべきガラス板７９の表面に、先ず、赤色発光層３０Ｒを形成するために、例えばポリビニルアルコール（ＰＶＡ）樹脂と水に赤色発光蛍光体粒子を分散させ、更に、重クロム酸アンモニウムを添加した赤色発光蛍光体スラリーを塗布した後、かかる赤色発光蛍光体スラリーを乾燥する。その後、赤色発光層３０Ｒを形成すべき赤色発光蛍光体スラリーの部分に紫外線を照射し、赤色発光蛍光体スラリーを露光する。その後、赤色発光蛍光体スラリーを現像することによって、所定の配列パターンの赤色発光層３０Ｒを形成することができる。以下、緑色発光蛍光体粒子を含む緑色発光蛍光体スラリーに対して同様の処理を行うことによって緑色発光層３０Ｇを形成し、更に、青色発光蛍光体粒子を含む青色発光蛍光体スラリーに対して同様の処理を行うことによって青色発光層３０Ｂを形成する。尚、発光層３０の形成方法は、以上に説明した方法に限定されず、赤色発光蛍光体スラリー、緑色発光蛍光体スラリー、青色発光蛍光体スラリーを順次塗布した後、各蛍光体スラリーを順次露光、現像して、各発光層を形成してもよいし、スクリーン印刷法等により各発光層を形成してもよい。実施例２〜実施例４においても、実質的に同様の方法で発光層を形成することができる。
【００４１】
実施例１のカラー液晶表示装置組立体にあっては、カラー液晶表示装置の作動時、光源２１から射出された紫外線（反射部材２２によって反射された紫外線を含み、後述する実施例２においても同様である）は、拡散板として機能する支持部材２３を通過し、発光層３０Ｒ，３０Ｇ，３０Ｂを照射する。その結果、発光層３０Ｒ，３０Ｇ，３０Ｂから、赤色、緑色、青色の光が射出され、これらの光は、所望に応じて、ガラス板７９、偏光フィルム７６、ブラック・マトリックス７８が形成されていない第２の基板７１の部分（各発光層３０Ｒ，３０Ｇ，３０Ｂに対応した部分）、透明第２電極７４（カラー液晶表示装置の各色を発光するサブピクセルに対応した部分）、液晶材料８０、透明第１電極６４（カラー液晶表示装置の各色を発光するサブピクセルに対応した部分）、カラーフィルター６２が設けられている場合にはカラーフィルター６２、第１の基板６１、偏光フィルム６６を通過する。その結果、観察者は、カラー液晶表示装置における画像として認識することができる。
【００４２】
実施例１、あるいは、後述する実施例２〜実施例４のカラー液晶表示装置組立体にあっては、光源からは、白色光が射出されるのではなく、紫外線が射出される。そして、赤色、緑色及び青色を射出する発光層は、光源とは別に設けられている。従って、従来の技術のように、冷陰極線型の蛍光ランプといった光源から射出された白色光をカラー液晶表示装置の配置されたカラーフィルターを通過させることで所望の色の光を得るといった処理が不要であり、光源において生成される紫外線の有効利用効率の向上を図ることができ、その結果、カラー液晶表示装置組立体の消費電力の低下を達成することが可能となる。尚、実施例１にあっては、シミュレーションの結果、蛍光ランプから放射される光束（紫外線）の有効利用効率は約６５％であり、従来の冷陰極線型の蛍光ランプの有効利用効率よりも約１．５倍乃至３倍高い値であった。
【実施例２】
【００４３】
実施例２は、本発明の第２の態様に係るカラー液晶表示装置組立体、及び、本発明の第１の態様に係る面状光源装置に関する。実施例２のカラー液晶表示装置組立体及び面状光源装置の概念図を図１の（Ｂ）に示し、実施例２におけるカラー液晶表示装置を図５あるいは図６の模式的な一部断面図に示す。
【００４４】
実施例２の面状光源装置は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ｂをリア・パネル側から照射する面状光源装置（直下型のバックライト）２０Ｂである。
【００４５】
また、実施例２のカラー液晶表示装置組立体は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ｂ、並びに、
（ｄ）カラー液晶表示装置１０Ｂをリア・パネル側から照射する面状光源装置（直下型のバックライト）２０Ｂ、
を備えたカラー液晶表示装置組立体である。
【００４６】
そして、面状光源装置２０Ｂは、
（Ａ）リア・パネル７０に対向（対面）して配置され、紫外線を射出する光源２１、
（Ｂ）リア・パネル７０と光源との間に配置された支持部材２３、
（Ｃ）カラー液晶表示装置１０Ｂの赤色を発光するサブピクセルに対応した支持部材２３の領域上に形成され、赤色を発光する赤色発光粒子から成り、光源２１から射出された紫外線によって励起されて赤色を発光する赤色発光層３１Ｒ、
（Ｄ）カラー液晶表示装置１０Ｂの緑色を発光するサブピクセルに対応した支持部材２３の領域上に形成され、緑色を発光する緑色発光粒子から成り、光源２１から射出された紫外線によって励起されて緑色を発光する緑色発光層３１Ｇ、並びに、
（Ｅ）カラー液晶表示装置１０Ｂの青色を発光するサブピクセルに対応した支持部材２３の領域上に形成され、青色を発光する青色発光粒子から成り、光源２１から射出された紫外線によって励起されて青色を発光する青色発光層３１Ｂ、
を具備する。
【００４７】
実施例２におけるフロント・パネル６０は、図５あるいは図６に示すように、図３あるいは図４を参照して説明した実施例１のフロント・パネル６０と同様の構成、構造を有しているが故に、詳細な説明は省略する。また、実施例２におけるリア・パネル７０は、図５あるいは図６に示すように、図３あるいは図４を参照して説明した実施例１のリア・パネル７０と、ガラス板７９が無い点、及び、ガラス板７９の上に発光層が形成されていない点の２点を除き、実施例１のリア・パネル７０と同様の構成、構造を有しているが故に、詳細な説明は省略する。
【００４８】
更には、面状光源装置２０Ｂは、赤色発光層３１Ｒ、緑色発光層３１Ｇ、及び、青色発光層３１Ｂが、光源２１と対向した支持部材２３の表面（内面）に形成されている点を除き、実施例１において説明した面状光源装置２０Ａと同様の構成、構造を有しているが故に、詳細な説明は省略する。
【００４９】
ここで、赤色発光粒子は、実施例１にて説明したと同様の赤色発光蛍光体粒子から成り、緑色発光粒子も、実施例１にて説明したと同様の緑色発光蛍光体粒子から成り、青色発光粒子も、実施例１にて説明したと同様の青色発光蛍光体粒子から成る。
【００５０】
また、カラー液晶表示装置の赤色、緑色あるいは青色を発光するサブピクセルに対応した支持部材の領域の大きさ（発光層３０Ｒ，３０Ｇ，３０Ｂの大きさ）と、サブピクセルの大きさとは、相補的な関係にあってもよいし、前者が後者よりも小さい関係にあってもよいし、前者が後者よりも大きい関係にあってもよい。
【００５１】
実施例２のカラー液晶表示装置組立体にあっては、カラー液晶表示装置の作動時、光源２１から射出された紫外線は、発光層３１Ｒ，３１Ｇ，３１Ｂを照射する。その結果、発光層３１Ｒ，３１Ｇ，３１Ｂから、赤色、緑色、青色の光が射出され、これらの光は、拡散板として機能する支持部材２３を通過し、更には、所望に応じて、偏光フィルム７６、ブラック・マトリックス７８が形成されていない第２の基板７１の部分（各発光層３１Ｒ，３１Ｇ，３１Ｂに対応した部分である）、透明第２電極７４（カラー液晶表示装置の各色を発光するサブピクセルに対応した部分）、液晶材料８０、透明第１電極６４（カラー液晶表示装置の各色を発光するサブピクセルに対応した部分）、カラーフィルター６２が設けられている場合にはカラーフィルター６２、第１の基板６１、偏光フィルム６６を通過する。その結果、観察者は、カラー液晶表示装置における画像として認識することができる。
【実施例３】
【００５２】
実施例３は、本発明の第３の態様に係るカラー液晶表示装置組立体に関する。実施例３のカラー液晶表示装置組立体の概念図を図２の（Ａ）に示す。尚、実施例３におけるカラー液晶表示装置の模式的な一部断面図は図３あるいは図４に示した模式的な一部断面図と同様である。
【００５３】
実施例３のカラー液晶表示装置組立体は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ａ、並びに、
（ｄ）導光板５０と、導光板５０の側面（第１側面５４）から導光板５０に紫外線を入射させる光源４１とから成り、カラー液晶表示装置１０Ａをリア・パネル側から照射する面状光源装置（エッジライト型のバックライト）４０Ａ、
を備えている。
【００５４】
そして、面状光源装置２０Ａと対向（対面）したリア・パネル７０の部分には、
（Ａ）カラー液晶表示装置１０Ａの赤色を発光するサブピクセルに対応した領域上に形成され、赤色を発光する赤色発光粒子から成り、光源４１から射出された紫外線によって励起されて赤色を発光する赤色発光層３０Ｒ、
（Ｂ）カラー液晶表示装置１０Ａの緑色を発光するサブピクセルに対応した領域上に形成され、緑色を発光する緑色発光粒子から成り、光源４１から射出された紫外線によって励起されて緑色を発光する緑色発光層３０Ｇ、並びに、
（Ｃ）カラー液晶表示装置１０Ａの青色を発光するサブピクセルに対応した領域上に形成され、青色を発光する青色発光粒子から成り、光源４１から射出された紫外線によって励起されて青色を発光する青色発光層３０Ｂ、
が形成されている。
【００５５】
ここで、フロント・パネル６０及びリア・パネル７０の構成、構造は、図３及び図４を参照して説明した実施例１のフロント・パネル６０及びリア・パネル７０と同様の構成、構造とすることができるので、詳細な説明は省略する。また、赤色発光粒子は、実施例１にて説明したと同様の赤色発光蛍光体粒子から成り、緑色発光粒子も、実施例１にて説明したと同様の緑色発光蛍光体粒子から成り、青色発光粒子も、実施例１にて説明したと同様の青色発光蛍光体粒子から成る。
【００５６】
実施例３、あるいは、後述する実施例４において、導光板５０は、第１面５１、この第１面５１と対向した第２面５３、第１側面５４、第２側面５５、第１側面５４と対向した第３側面５６、及び、第２側面５４と対向した第４側面を有する。導光板のより具体的な形状は、全体として、楔状の切頭四角錐形状であり、切頭四角錐の２つの対向する側面が第１面５１及び第２面５３に相当し、切頭四角錐の底面が第１側面５４に相当する。そして、第１面５１の表面部には凹凸部５２が設けられている。導光板５０への紫外線入射方向であって第１面５１と垂直な仮想平面で導光板５０を切断したときの連続した凸凹部の断面形状は、三角形である。即ち、第１面５１の表面部に設けられた凹凸部５２は、プリズム状である。導光板５０の第２面５３は、平滑としてもよいし（即ち、鏡面としてもよいし）、拡散効果のあるブラストシボを設けてもよい（即ち、微細な凹凸面とすることもできる）。導光板５０の第１面５１に対向して反射部材４２が配置されている。また、導光板５０の第２面５３に対向してカラー液晶表示装置１０Ａが配置されている。更には、カラー液晶表示装置１０Ａと導光板５０の第２面５３との間には、拡散シート４３及びプリズムシート４４が配置されている。光源４１から射出された紫外線は、導光板５０の第１側面５４（例えば、切頭四角錐の底面に相当する面）から導光板５０に入射し、第１面５１の凹凸部５２に衝突して散乱され、第１面５１から射出し、反射部材４２にて反射され、第１面５１に再び入射し、第２面５３から射出され、拡散シート４３及びプリズムシート４４を通過して、カラー液晶表示装置１０Ａを照射する。
【００５７】
実施例３、あるいは、後述する実施例４において、光源４１は、実施例１と同様に、紫外線を射出する蛍光ランプから成る。また、導光板５０は、光源４１が射出する紫外線に対して透明であり、即ち、光源４１が射出する紫外線を余り吸収すること無く、しかも、紫外線の照射によって損傷を受けない材料、より具体的には、例えばシリコーン系樹脂等から作製されており、反射部材４２は、紫外線の照射によって損傷を受けない材料、より具体的には、例えば、ＴｉＯ2やＢａＳＯ4、ＭｇＯ等の無機材料をシリコーン系樹脂に分散させたシート等から作製されており、拡散シート４３は、光源４１が射出する紫外線に対して透明であり、即ち、光源４１が射出する紫外線を余り吸収すること無く、しかも、紫外線の照射によって損傷を受けない材料、より具体的には、例えば、ＴｉＯ2やＢａＳＯ4、ＭｇＯ等の無機材料をシリコーン系樹脂に分散させたシート等から作製されており、プリズムシート４４は、光源４１が射出する紫外線に対して透明であり、即ち、光源４１が射出する紫外線を余り吸収すること無く、しかも、紫外線の照射によって損傷を受けない材料から作製されている。後述する実施例４においても同様である。
【００５８】
実施例３のカラー液晶表示装置組立体にあっては、カラー液晶表示装置の作動時、光源４１から射出された紫外線は、最終的に、導光板５０からカラー液晶表示装置１０Ａに向けて射出され、発光層３０Ｒ，３０Ｇ，３０Ｂを照射する。その結果、発光層３０Ｒ，３０Ｇ，３０Ｂから、赤色、緑色、青色の光が射出され、これらの光は、所望に応じて、ガラス板７９、偏光フィルム７６、ブラック・マトリックス７８が形成されていない第２の基板７１の部分（各発光層３０Ｒ，３０Ｇ，３０Ｂに対応した部分）、透明第２電極７４（カラー液晶表示装置の各色を発光するサブピクセルに対応した部分）、液晶材料８０、透明第１電極６４（カラー液晶表示装置の各色を発光するサブピクセルに対応した部分）、カラーフィルター６２が設けられている場合にはカラーフィルター６２、第１の基板６１、偏光フィルム６６を通過する。その結果、観察者は、カラー液晶表示装置における画像として認識することができる。
【実施例４】
【００５９】
実施例４は、本発明の第４の態様に係るカラー液晶表示装置組立体、及び、本発明の第２の態様に係る面状光源装置に関する。実施例４のカラー液晶表示装置組立体及び面状光源装置の概念図を図２の（Ｂ）に示す。尚、実施例４におけるカラー液晶表示装置の模式的な一部断面図は図５あるいは図６に示した模式的な一部断面図と同様である。
【００６０】
実施例４の面状光源装置は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ｂをリア・パネル側から照射する面状光源装置（エッジライト型のバックライト）４０Ｂである。
【００６１】
また、実施例４のカラー液晶表示装置組立体は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ｂ、並びに、
（ｄ）カラー液晶表示装置１０Ｂをリア・パネル側から照射する面状光源装置（エッジライト型のバックライト）４０Ｂ、
を備えたカラー液晶表示装置組立体である。
【００６２】
そして、面状光源装置４０Ｂは、
（Ａ）導光板５０、
（Ｂ）導光板５０の側面（第１側面５４）から導光板５０に紫外線を入射させる光源４１、
（Ｃ）カラー液晶表示装置１０Ｂの赤色を発光するサブピクセルに対応してリア・パネル７０に対向した導光板５０の領域上に形成され、赤色を発光する赤色発光粒子から成り、光源４１から射出された紫外線によって励起されて赤色を発光する赤色発光層３１Ｒ、
（Ｄ）カラー液晶表示装置１０Ｂの緑色を発光するサブピクセルに対応してリア・パネル７０に対向した導光板５０の領域上に形成され、緑色を発光する緑色発光粒子から成り、光源４１から射出された紫外線によって励起されて緑色を発光する緑色発光層３１Ｇ、並びに、
（Ｅ）カラー液晶表示装置１０Ｂの青色を発光するサブピクセルに対応してリア・パネル７０に対向した導光板５０の領域上に形成され、青色を発光する青色発光粒子から成り、光源４１から射出された紫外線によって励起されて青色を発光する青色発光層３１Ｂ、
を具備する。
【００６３】
ここで、フロント・パネル６０及びリア・パネル７０の構成、構造は、図５あるいは図６を参照して説明した実施例２のフロント・パネル６０及びリア・パネル７０と同様の構成、構造とすることができるので、詳細な説明は省略する。また、導光板５０の構成、構造も、赤色発光層３１Ｒ、緑色発光層３１Ｇ、及び、青色発光層３１Ｂが、リア・パネル７０と対向した導光板５０の第２面５３上に形成されている点を除き、実施例３において説明した導光板５０の構成、構造と同様の構成、構造とすることができるので、詳細な説明は省略する。更には、赤色発光粒子は、実施例１において説明したと同様の赤色発光蛍光体粒子から成り、緑色発光粒子も、実施例１において説明したと同様の緑色発光蛍光体粒子から成り、青色発光粒子も、実施例１において説明したと同様の青色発光蛍光体粒子から成る。
【００６４】
尚、カラー液晶表示装置の赤色、緑色あるいは青色を発光するサブピクセルに対応した導光板５０の領域の大きさ（発光層３０Ｒ，３０Ｇ，３０Ｂの大きさ）と、サブピクセルの大きさとは、相補的な関係にあってもよいし、前者が後者よりも小さい関係にあってもよいし、前者が後者よりも大きい関係にあってもよい。場合によっては、発光層３１Ｒ，３１Ｇ，３１Ｂを、導光板５０の第１面５１上に配置してもよい。
【００６５】
実施例４のカラー液晶表示装置組立体にあっては、カラー液晶表示装置の作動時、光源４１から射出された紫外線は、発光層３１Ｒ，３１Ｇ，３１Ｂを照射する。その結果、発光層３１Ｒ，３１Ｇ，３１Ｂから、赤色、緑色、青色の光が射出され、これらの光は、所望に応じて、拡散シート４３、プリズムシート４４を通過し、更には、偏光フィルム７６、ブラック・マトリックス７８が形成されていない第２の基板７１の部分（各発光層３１Ｒ，３１Ｇ，３１Ｂに対応した部分である）、透明第２電極７４（カラー液晶表示装置の各色を発光するサブピクセルに対応した部分）、液晶材料８０、透明第１電極６４（カラー液晶表示装置の各色を発光するサブピクセルに対応した部分）、カラーフィルター６２が設けられている場合にはカラーフィルター６２、第１の基板６１、偏光フィルム６６を通過する。その結果、観察者は、カラー液晶表示装置における画像として認識することができる。
【００６６】
以上、本発明を好ましい実施例に基づき説明したが、本発明はこれらの実施例に限定されるものではない。実施例において説明した透過型のカラー液晶表示装置や面状光源装置、カラー液晶表示装置組立体の構成、構造は例示であるし、これらを構成する部材、材料等も例示であり、適宜、変更することができる。実施例１〜実施例４におけるカラー液晶表示装置組立体にあっては、カラー液晶表示装置と面状光源装置との間に、紫外線は透過するが、発光層からの光をカラー液晶表示装置に向かって反射させる反射膜（所謂メタルバック）を設けてもよい。更には、実施例１〜実施例４におけるカラー液晶表示装置組立体にあっては、第２の基板７１にブラック・マトリックス７８を形成しなくともよいし、ガラス板７９や支持部材２３、導光板５０上に形成された赤色発光層、緑色発光層及び青色発光層の間に、図示したように隙間が存在していてもよいし、隙間が存在していなくともよい。また、紫外線によって液晶材料や偏光フィルム等に損傷が生じる虞がある場合には、紫外線を吸収、遮断する紫外線吸収（カット）フィルムや紫外線吸収（カット）層を、適切な位置に配置、形成してもよい。実施例にあっては、光源を、蛍光ランプ（紫外線を射出する蛍光ランプ）から成る構成としたが、代替的に、紫外線を射出する発光ダイオード（ＬＥＤ）から成る構成とすることもできる。また、カラー液晶表示装置を構成するフロント・パネルにおける第１の基板の表面に反射防止膜（ＡＲフィルム）を取り付けてもよい。
【図面の簡単な説明】
【００６７】
【図１】図１の（Ａ）は、実施例１のカラー液晶表示装置組立体の概念図であり、図１の（Ｂ）は、実施例２のカラー液晶表示装置組立体の概念図である。
【図２】図２の（Ａ）は、実施例３の面状光源装置及びカラー液晶表示装置組立体の概念図であり、図２の（Ｂ）は、実施例４の面状光源装置及びカラー液晶表示装置組立体の概念図である。
【図３】図３は、実施例１あるいは実施例３のカラー液晶表示装置組立体におけるカラー液晶表示装置の模式的な一部断面図である。
【図４】図４は、実施例１あるいは実施例３のカラー液晶表示装置組立体におけるカラー液晶表示装置の変形例の模式的な一部断面図である。
【図５】図５は、実施例３あるいは実施例７のカラー液晶表示装置組立体におけるカラー液晶表示装置の模式的な一部断面図である。
【図６】図６は、実施例３あるいは実施例７のカラー液晶表示装置組立体におけるカラー液晶表示装置の変形例の模式的な一部断面図である。
【図７】図７の（Ａ）及び（Ｂ）は、従来のカラー液晶表示装置組立体の概念図である。
【符号の説明】
【００６８】
１０Ａ，１０Ｂ・・・カラー液晶表示装置、２０Ａ，２０Ｂ，４０Ａ，４０Ｂ・・・面状光源装置、２１・・・光源、２３・・・支持部材、２２・・・反射部材、２４・・・筐体、３０Ｒ，３１Ｒ・・・赤色発光層、３０Ｇ，３１Ｇ・・・緑色発光層、３０Ｂ，３１Ｂ・・・青色発光層、３０Ｗ，３１Ｗ・・・白色発光層、４１・・・光源、４２・・・反射部材、４３・・・拡散シート、４４・・・プリズムシート、５０・・・導光板、５１・・・導光板の第１面、５２・・・第１面における凹凸部、５３・・・導光板の第２面、５４・・・導光板の第１側面、５５・・・導光板の第２側面、５６・・・導光板の第３側面、６０・・・フロント・パネル、６１・・・第１の基板、６２・・・カラーフィルター、６３・・・オーバーコート層、６４・・・透明第１電極、６５・・・配向膜、６６・・・偏光フィルム、７０・・・リア・パネル、７１・・・第２の基板、７２・・・スイッチング素子、７４・・・透明第２電極、７５・・・配向膜、７６・・・偏光フィルム、７７・・・絶縁層、７８・・・ブラック・マトリックス、７９・・・ガラス板、８０・・・液晶材料
【図１】
2007052197.tif 000003
【図２】
2007052197.tif 000004
【図３】
2007052197.tif 000005
【図４】
2007052197.tif 000006
【図５】
2007052197.tif 000007
【図６】
2007052197.tif 000008
【図７】
2007052197.tif 000009